【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
基地局によって実行されるワイヤレス通信の方法であって、
ガードバンドモードまたはスタンドアロンモード(GB/SAモード)でユーザ機器(UE)のためのウェイクアップ信号を生成するステップであって、
前記ウェイクアップ信号が、第1の展開モードと関連付けられる第1の基本シーケンスに少なくとも一部基づき、
前記第1の基本シーケンスが、第2の展開モードと関連付けられる第2の基本シーケンスより多くのシンボルを含み、
前記第1の基本シーケンスが、前記第2の基本シーケンスを含み、
前記第1の展開モードが前記GB/SAモードであり、
前記第2の展開モードが帯域内モードである、ステップと、
前記ウェイクアップ信号を送信するステップと
を備える、方法。
【請求項２】
前記第1の基本シーケンスが14シンボルのシーケンスであり、
前記第2の基本シーケンスが11シンボルのシーケンスである、請求項1に記載の方法。
【請求項３】
前記第1の基本シーケンスが、前記第2の基本シーケンスから1つまたは複数の追加の値をさらに含む、請求項1に記載の方法。
【請求項４】
前記1つまたは複数の追加の値が、前記第2の基本シーケンスの内部から選択される、請求項3に記載の方法。
【請求項５】
前記1つまたは複数の追加の値が、サブフレームの中の第1のスロットの最初の3つのシンボルにマッピングされ、前記第2の基本シーケンスの前記内部から選択され、
前記第2の基本シーケンスの前記内部が前記サブフレームの中の第2のスロットの最初の3つのシンボルを含む、請求項4に記載の方法。
【請求項６】
前記第1の基本シーケンスが、前記第2の基本シーケンスと同じZadoff-Chuシーケンスおよび同じカバーコードを使用して生成される、請求項1に記載の方法。
【請求項７】
前記第1の基本シーケンスの時間領域スクランブリングが、シンボルレベルで実行され、時間的に変化させられる、請求項1に記載の方法。
【請求項８】
前記時間領域スクランブリングが、サブフレームごとの前記第1の基本シーケンスと組み合わされる、セル識別子または時間インデックスのうちの少なくとも1つに少なくとも一部基づく擬似ランダムノイズ(PN)シーケンスに少なくとも一部基づく、請求項7に記載の方法。
【請求項９】
ユーザ機器(UE)によって実行されるワイヤレス通信の方法であって、
ガードバンドモードまたはスタンドアロンモード(GB/SAモード)でウェイクアップ信号を受信するステップであって、
前記ウェイクアップ信号が、第1の展開モードと関連付けられる第1の基本シーケンスに少なくとも一部基づき、
前記第1の基本シーケンスが、第2の展開モードと関連付けられる第2の基本シーケンスより多くのシンボルを含み、
前記第1の基本シーケンスが、前記第2の基本シーケンスを含み、
前記第1の展開モードが前記GB/SAモードであり、
前記第2の展開モードが帯域内モードである、ステップと、
前記ウェイクアップ信号に少なくとも一部基づいてウェイクアップを実行するステップと
を備える、方法。
【請求項１０】
前記1つまたは複数の追加の値が、前記第2の基本シーケンスの最後から選択される、請求項3に記載の方法。
【請求項１１】
前記第1の基本シーケンスが14シンボルのシーケンスであり、
前記第2の基本シーケンスが11シンボルのシーケンスである、請求項9に記載の方法。
【請求項１２】
前記第1の基本シーケンスが、前記第2の基本シーケンスから1つまたは複数の追加の値をさらに含む、請求項9に記載の方法。
【請求項１３】
前記1つまたは複数の追加の値が、前記第2の基本シーケンスの内部から選択される、請求項12に記載の方法。
【請求項１４】
前記1つまたは複数の追加の値が、サブフレームの中の第1のスロットの最初の3つのシンボルにマッピングされ、前記第2の基本シーケンスの前記内部から選択され、
前記第2の基本シーケンスの前記内部が前記サブフレームの中の第2のスロットの最初の3つのシンボルを含む、請求項13に記載の方法。
【請求項１５】
前記第1の基本シーケンスが、前記第2の基本シーケンスと同じZadoff-Chuシーケンスおよび同じカバーコードを使用して生成される、請求項9に記載の方法。
【請求項１６】
前記第1の基本シーケンスの時間領域スクランブリングが、シンボルレベルで実行され、時間的に変化させられる、請求項9に記載の方法。
【請求項１７】
前記時間領域スクランブリングが、サブフレームごとの前記第1の基本シーケンスと組み合わされる、セル識別子または時間インデックスのうちの少なくとも1つに少なくとも一部基づく擬似ランダムノイズ(PN)シーケンスに少なくとも一部基づく、請求項16に記載の方法。
【請求項１８】
前記1つまたは複数の追加の値が、前記第2の基本シーケンスの最後から選択される、請求項12に記載の方法。
【請求項１９】
ワイヤレス通信のためのユーザ機器(UE)であって、
メモリと、
前記メモリに動作可能に結合された1つまたは複数のプロセッサと
を備え、前記メモリおよび前記1つまたは複数のプロセッサが、
ガードバンドモードまたはスタンドアロンモード(GB/SAモード)でウェイクアップ信号を受信することであって、
前記ウェイクアップ信号が、第1の展開モードと関連付けられる第1の基本シーケンスに少なくとも一部基づき、
前記第1の基本シーケンスが、第2の展開モードと関連付けられる第2の基本シーケンスより多くのシンボルを含み、
前記第1の基本シーケンスが、前記第2の基本シーケンスを含み、
前記第1の展開モードが前記GB/SAモードであり、
前記第2の展開モードが帯域内モードである、受信することと、
前記ウェイクアップ信号に少なくとも一部基づいてウェイクアップを実行することと
を行うように構成される、UE。
【請求項２０】
前記第1の基本シーケンスが14シンボルのシーケンスであり、
前記第2の基本シーケンスが11シンボルのシーケンスである、請求項19に記載のUE。
【請求項２１】
前記第1の基本シーケンスが、前記第2の基本シーケンスから1つまたは複数の追加の値をさらに含む、請求項19に記載のUE。
【請求項２２】
前記1つまたは複数の追加の値が、前記第2の基本シーケンスの内部から選択される、請求項21に記載のUE。
【請求項２３】
前記1つまたは複数の追加の値が、サブフレームの中の第1のスロットの最初の3つのシンボルにマッピングされ、前記第2の基本シーケンスの前記内部から選択され、
前記第2の基本シーケンスの前記内部が前記サブフレームの中の第2のスロットの最初の3つのシンボルを含む、請求項22に記載のUE。
【請求項２４】
前記第1の基本シーケンスが、前記第2の基本シーケンスと同じZadoff-Chuシーケンスおよび同じカバーコードを使用して生成される、請求項19に記載のUE。
【請求項２５】
前記第1の基本シーケンスの時間領域スクランブリングが、シンボルレベルで実行され、時間的に変化させられる、請求項19に記載のUE。
【請求項２６】
前記時間領域スクランブリングが、サブフレームごとの前記第1の基本シーケンスと組み合わされる、セル識別子または時間インデックスのうちの少なくとも1つに少なくとも一部基づく擬似ランダムノイズ(PN)シーケンスに少なくとも一部基づく、請求項25に記載のUE。
【請求項２７】
前記1つまたは複数の追加の値が、前記第2の基本シーケンスの最後から選択される、請求項21に記載のUE。
【請求項２８】
ワイヤレス通信のための基地局であって、
メモリと、
前記メモリに動作可能に結合された1つまたは複数のプロセッサと
を備え、前記メモリおよび前記1つまたは複数のプロセッサが、
ガードバンドモードまたはスタンドアロンモード(GB/SAモード)でユーザ機器(UE)のためのウェイクアップ信号を生成することであって、
前記ウェイクアップ信号が、第1の展開モードと関連付けられる第1の基本シーケンスに少なくとも一部基づき、
前記第1の基本シーケンスが、第2の展開モードと関連付けられる第2の基本シーケンスより多くのシンボルを含み、
前記第1の基本シーケンスが、前記第2の基本シーケンスを含み、
前記第1の展開モードが前記GB/SAモードであり、
前記第2の展開モードが帯域内モードである、生成することと、
前記ウェイクアップ信号を送信することと
を行うように構成される、基地局。
【請求項２９】
前記第1の基本シーケンスが14シンボルのシーケンスであり、
前記第2の基本シーケンスが11シンボルのシーケンスである、請求項28に記載の基地局。
【請求項３０】
前記第1の基本シーケンスが、前記第2の基本シーケンスから1つまたは複数の追加の値をさらに含む、請求項28に記載の基地局。
【請求項３１】
前記1つまたは複数の追加の値が、前記第2の基本シーケンスの内部から選択される、請求項30に記載の基地局。
【請求項３２】
前記1つまたは複数の追加の値が、サブフレームの中の第1のスロットの最初の3つのシンボルにマッピングされ、前記第2の基本シーケンスの前記内部から選択され、
前記第2の基本シーケンスの前記内部が前記サブフレームの中の第2のスロットの最初の3つのシンボルを含む、請求項31に記載の基地局。
【請求項３３】
前記第1の基本シーケンスが、前記第2の基本シーケンスと同じZadoff-Chuシーケンスおよび同じカバーコードを使用して生成される、請求項28に記載の基地局。
【請求項３４】
前記第1の基本シーケンスの時間領域スクランブリングが、シンボルレベルで実行され、時間的に変化させられる、請求項28に記載の基地局。
【請求項３５】
前記時間領域スクランブリングが、サブフレームごとの前記第1の基本シーケンスと組み合わされる、セル識別子または時間インデックスのうちの少なくとも1つに少なくとも一部基づく擬似ランダムノイズ(PN)シーケンスに少なくとも一部基づく、請求項34に記載の基地局。
【請求項３６】
前記1つまたは複数の追加の値が、前記第2の基本シーケンスの最後から選択される、請求項30に記載の基地局。